(57)【要約】【課題】  顔料インクを用いた場合における、つなぎ部と非つなぎ部の「光沢むら」を低減させること。【解決手段】  顔料インクと光沢感を高める目的で皮膜を形成するコート液を有するプリンタで、つなぎ部と非つなぎ部でコート液（グロスオプティマイザー処理液）の塗布量を変えることを特徴とする。【選択図】  図３
2008087370.tif 000002
【特許請求の範囲】
【請求項１】
インクを吐出するための複数の吐出口を配列してなるプリントヘッドを用いるプリント方法であって、前記プリントヘッドを前記複数の吐出口の配列方向とは異なる主走査方向に走査させ画像の形成を行う工程と、前記プリントヘッドの各走査のつなぎ部分を互いにオーバーラップさせる走査制御を行う走査制御手段と光沢感を高める目的で皮膜を形成するコート液を有し、
前記各走査のつなぎ部分と非つなぎ部分の光沢感の差が視覚的に好ましくなるように、前記各走査のつなぎ部分と非つなぎ部分で前記コート液の塗布量を異ならせることを特徴とするインクジェット記録方法。
【請求項２】
前記コート液の塗布量は非つなぎ部と比較してつなぎ部により多く塗布することを特徴とする請求項１記載のインクジェット記録方法。
【請求項３】
インクを吐出するための複数の吐出口を配列してなるプリントヘッドを用いる記録装置であって、前記プリントヘッドを前記複数の吐出口の配列方向とは異なる主走査方向に走査させ画像の形成を行う手段と、前記プリントヘッドの各走査のつなぎ部分を互いにオーバーラップさせる走査制御を行う走査制御手段と光沢感を高める目的で皮膜を形成するコート液を有し、
前記各走査のつなぎ部分と非つなぎ部分の光沢感の差が視覚的に好ましくなるように、前記各走査のつなぎ部分と非つなぎ部分で前記コート液の塗布量を異ならせることを特徴とするインクジェット記録装置。
【請求項４】
前記コート液の塗布量は非つなぎ部と比較してつなぎ部により多く塗布することを特徴とする請求項３記載のインクジェット記録装置。
【発明の詳細な説明】
【技術分野】
【０００１】
本発明は、複数の吐出口（ノズル）を有するインクジェット方式の記録ヘッドを用いて画像を形成するインクジェット記録方法に関する。
【背景技術】
【０００２】
記録ヘッドに配列されたノズルからインクを吐出して記録媒体に記録をおこなうインクジェット方式の記録装置は、近年において、プリンタ、ＦＡＸ、複写機等に多く適用されている。特に複数の色のインクを用いてカラー画像を記録可能なカラープリンタにおいてはその高画質化が進むことで著しい伸びを示しているといえる。このインクジェット記録装置の中でも小型で低価格なパーソナルユースとしては、ヘッドの性能を上げることなく画像の品質を向上させることができる記録方式としてマルチパス方式が広く用いられている。このマルチパス方式は、記録ヘッドを搭載したキャリッジを記録媒体に対して移動走査させる記録主走査と、記録媒体を記録主走査とは直行する方向所定量ずつ搬送する副走査とを交互に繰り返すことにより、記録媒体上に順次画像を形成していくものである。この際、マルチパス印字のつなぎ部分のスジを緩和させるために記録主走査の上端と下端を数ノズル分オーバーラップさせ間引き印字する記録方法はよく知られたところである。またつなぎヘッドと呼ばれる複数の記録素子をライン状に配列した記録ヘッドにおいて1パス記録をおこなう場合でも、記録素子同士のつなぎ部分に生じるスジ状の画像欠陥を防止する技術としてつなぎ部分の記録素子同士をオーバーラップさせるヘッド構成が提案されている（例えば特許文献１参照）。
【特許文献１】特開平５−５７９６５号公報
【発明の開示】
【発明が解決しようとする課題】
【０００３】
しかしながら、マルチパス記録、或いはつなぎヘッドでの1パス記録を顔料インクでおこなった場合には「光沢むら」という新たな問題が発生する。この光沢むらは、記録媒体が搬送される副走査方向に対して、ある一定の幅で光沢度が異なるためにバンド状の光沢むらとして認識されてしまうものである。
【０００４】
本発明は、上述の問題点を解決するためになされたものであり、光沢むらの低減されたインクジェット記録方法を提供することを目的とする。
【課題を解決するための手段】
【０００５】
本発明は下記構成を備えることにより上記課題を解決できるものである。
【０００６】
すなわち、インクを吐出するための複数の吐出口を配列してなるプリントヘッドを用いるプリント方法であって、前記プリントヘッドを前記複数の吐出口の配列方向とは異なる主走査方向に走査させ画像の形成を行う工程と、前記プリントヘッドの各走査のつなぎ部分を互いにオーバーラップさせる走査制御を行う走査制御手段と光沢感を高める目的で皮膜を形成するコート液を有し、
前記各走査のつなぎ部分と非つなぎ部分の光沢感の差が視覚的に好ましくなるように、前記各走査のつなぎ部分と非つなぎ部分で前記コート液の塗布量を異ならせることを特徴とする。また、本発明は前記コート液の塗布量は非つなぎ部と比較してつなぎ部により多く塗布することを特徴とする。
【発明の効果】
【０００７】
以上詳述したように本発明によれば、つなぎ部分に対して光沢感を高める目的で皮膜を形成するコート液を非つなぎ部より多く用いるために光沢むらの低減された画像を得るという効果を呈する。
【発明を実施するための最良の形態】
【０００８】
以下、図面を参照して本発明の実施例を詳細に説明する。
【実施例１】
【０００９】
以下に本発明の第一の実施例を説明する。
【００１０】
図１は、本発明に適用可能なインクジェット記録装置の概略斜視図である。図１において、キャリッジ１０１はあらかじめ定められた領域（記録可能領域）をガイド軸１０４、１０５にしたがって往復走査するものである。記録ヘッドユニット１０３は、キャリッジ１０１の走査に伴って記録可能領域を移動し、画像データにしたがって、必要なインクを吐出して記録を行うものである。インクカートリッジには、カラーのインク（例えばシアン、マゼンタ、イエロー、ブラックetc）の他に無色透明のコート液（グロスオプティマイザー処理液）が含まれている。このコート液は光沢を調整することにより光沢むらを防ぐ等の目的で用いられ、例えば、従来用いられているインク、特に顔料系のインクの成分から色成分を除いたものとすることができる。このとき樹脂成分を含むことが望ましい。
【００１１】
図２は、本実施形態のようなシリアル型の記録装置で画像を形成していく際の記録媒体と記録ヘッドとの相対関係を説明するものである。図２において記録ヘッド１は、記録媒体５０へのインクの吐出を行いながら、ｘ方向に移動走査する。１回の記録走査が終了すると記録媒体５０は所定の量だけｙ方向に搬送される。このｘ方向の記録走査と、ｙ方向副走査とを交互に繰り返すことにより、記録媒体５０には順次画像が形成されていく。
【００１２】
図３および図４は、光沢むらの生じ易いつなぎ部を説明する図である。図３において、記録ヘッドの上端と下端はすじ状の画像欠陥を防止するために、数ノズル分オーバーラップするような副走査方向の搬送量でもって記録される。図４においても、インライン状に配列された記録素子同士は最初からある一定のノズル数だけオーバーラップされたヘッド構成をとっている。このノズルのオーバーラップされた部分をつなぎ部と称すれば、このつなぎ部と非つなぎ部で光沢の差が認識され易い。
【００１３】
図５及び図６は画像形成のパス数と光沢の関係を示すグラフである。光沢の測定器はマイクロヘイズメーターと呼ばれるもので、紙に対しある一定の角度（この場合は２０°）で照射した光が、同一の対角にどれだけ跳ね返るかを測定することができる。実験は顔料インクを用い同一の階調パッチを１パスと８パスで印字し、いくつかの階調におけるグロスとヘイズをマイクロヘイズメーターで測定した。図５の縦軸はグロスで印刷物の正反射成分の光沢度である。図６の縦軸はヘイズ（正反射角度から受光側ひらき角１．８°だけずれた光沢度）でボケを表している。図５及び図６より１パスによる画像形成の方が８パスによる画像形成より光沢感が高いという実験結果が得られた。わかり易さのために１パスと８パスでの実験結果を示したが、画像形成のパス数を多くしていくと光沢感も連続的に悪くなっていく。このように画像形成のパス数によって光沢感が異なるということは、すなわち、マルチパス記録、或いはつなぎヘッドでの１パス記録において、つなぎ部分と非つなぎ部分で画像が記録完了されるまでの実効的なパス数が異なるために光沢むらが生じているということになる。
【００１４】
このようなつなぎ部と非つなぎ部の光沢むらを低減する方法として、本実施例ではコート液の塗布量を画像が記録完了されるまでの実効的なパス数が異なるつなぎ部と非つなぎ部で異ならせる。すなわちつなぎ部のみにコート液を塗布するか、あるいは非つなぎ部よりつなぎ部により多くのコート液を塗布することで、つなぎ部と非つなぎ部の光沢感の差を低減することができる。コート液とカラーインクの着弾順序はカラーインクが塗布された後に皮膜を形成するコート液が塗布される方が好ましい。つなぎ部と非つなぎ部で光沢感をそろえていく指標としては、マイクロヘイズメーターによる図５のような光沢度でも図６のようなヘイズでも良い。その他にも写像性測定器による印刷物に写りこんだ像の鮮明度を指標にする方法や、ゴニオ分光のように受光器を走査させることで広い測定範囲をカバーできる測定器を用いてもよい。
【図面の簡単な説明】
【００１５】
【図１】本発明を実施するインクジェット記録装置の概略斜視図である。
【図２】本実施形態の記録媒体と記録ヘッドとの相対関係を説明するもの。
【図３】シリアルヘッドのマルチパス方式による画像形成時のつなぎ部を説明するもの。
【図４】つなぎヘッドによる１パス画像形成時のつなぎ部を説明するもの。
【図５】画像形成のパス数とグロスの関係を示すグラフ。
【図６】画像形成のパス数とヘイズの関係を示すグラフ。
【図１】
2008087370.tif 000003
【図２】
2008087370.tif 000004
【図３】
2008087370.tif 000005
【図４】
2008087370.tif 000006
【図５】
2008087370.tif 000007
【図６】
2008087370.tif 000008